(57)【要約】本発明は、本発明は、茶サポニンを使用した水媒法による油抽出方法を開示し、油作物処理の技術分野に属する。本発明は、茶サポニンを含む水溶液を使用して油抽出し、本発明の油抽出プロセスは、抽出剤の使用を大幅に削減し、油抽出率を９４％以上に達することができ、安全な生産、コスト削減、および廃水生成の低減などの効果が得られ、経済的利益を増加しながら安全に生産することができ、かつ、省エネルギーと環境保護を達成し、それは複数の目的に役立つと言える。【選択図】図１
2020520397.tif 000002
【特許請求の範囲】
【請求項１】
水媒法による油抽出方法であって、
水またはエタノールを含む水溶液を媒介とし、茶サポニンを含む抽出剤を使用して油を抽出することを含み、
抽出対象の材料を粉砕した後、５０〜１００℃の抽出剤に０．５〜３時間浸し、ｐＨを８〜１０に調整し、続いて、遠心分離により、スラグ相、水相、油相およびエマルジョンを分離し、油相とエマルジョンを集めて解乳化し、清澄油を得る、ことを特徴とする、
水媒法による油抽出方法。
【請求項２】
前記茶サポニンは材料自体に含まれ、抽出プロセス中に水相に入るか、または追加で添加されるものである、ことを特徴とする、
請求項１に記載の方法。
【請求項３】
前記材料は、油料作物の果実または種子を含む、ことを特徴とする、
請求項１または２に記載の方法。
【請求項４】
前記材料は、ツバキ種子油を抽出するためのツバキ種子である、ことを特徴とする、
請求項３に記載の方法。
【請求項５】
材料と抽出剤は、材料と溶液の比率が１：３〜１０の比率で混合され、
前記抽出剤は、前の抽出で得られた水相である、ことを特徴とする、
請求項１〜４のいずれか一項に記載の方法。
【請求項６】
油相と抽出剤の間の界面張力を１３ｍＮ／ｍ以下に制御する、ことを特徴とする、
請求項１〜５のいずれか一項に記載の方法。
【請求項７】
解乳化プロセスは、凍結解乳化、酵素による解乳化またはエタノール溶液による解乳化を含む方法を採用する、ことを特徴とする、
請求項１または６に記載の方法。
【請求項８】
前記方法の具体的なステップは、以下のとおりである、
（１）新たに粉砕したツバキ種子材料に、抽出剤としての０〜２００ｇ／Ｌの茶サポニンを含む水溶液を加えて、均一に混合する、
（２）混合物を撹拌しながら５０〜１００°Ｃに加熱し、ｐＨを８〜１０に調整し、０．５〜３時間保温する、
（３）反応完了後、遠心分離により、スラグ相、水相、油相、およびエマルジョンを得る、
（４）油相とエマルジョンを解乳化させる、ことを特徴とする、
請求項１〜７のいずれか一項に記載の方法。
【請求項９】
濃度が１０〜２００ｇ／Ｌの茶サポニン溶液を用いて油抽出する、ことを特徴とする、
水媒体法による油抽出効率の改善を補助するための茶サポニンの使用。
【請求項１０】
水溶液を媒介とし、抽出対象の材料を粉砕した後、５０〜１００℃の抽出剤に０．５〜３時間浸し、ｐＨを８〜１０に調整し、続いて、遠心分離により、スラグ相、水相、油相およびエマルジョンを分離し、
油相とエマルジョンを集めて解乳化し、清澄油を得、
次のバッチの材料の抽出剤として水相を収集し、水相を少なくとも３回繰り返し使用し、このプロセス中、原料中の茶サポニンは連続的に水相に入り、水相中の茶サポニンの濃度を連続的に増加させる、ことを特徴とする、
ツバキ油の抽出方法。
【請求項１１】
水相を繰り返し使用して３〜１２回の油抽出を行う、ことを特徴とする、
請求項１０に記載の方法。
【請求項１２】
前記方法の具体的なステップは、以下のとおりである、
（１）粒径が２０μｍの新たに粉砕したツバキ種子材料に水を加えて、反応材料と溶液の比率を１：５にする、
（２）混合物を撹拌しながら７０°Ｃに加熱し、ｐＨを９に調整し、０．５時間維持する、
（３）遠心分離により、スラグ相、水相、油相、およびエマルジョンを得る、
（４）その中の油相とエマルジョンを取り出して解乳化させ、清澄油を得て、次の油抽出の抽出剤として水相を取り出し、不十分な部分は、１：３〜１０の比率まで水で補充され、ステップ（１）〜（３）を繰り返す、ことを特徴とする、
請求項１０または１１に記載の方法。
【請求項１３】
請求項１〜１２のいずれか一項に記載の方法の、ツバキ果実または種子の油脂抽出ための使用。
【請求項１４】
前記ツバキ果実または種子は、ツバキ種子、茶種子、および茶花種子のうちの少なくとも１種を含む、ことを特徴とする、
請求項１３に記載の適用。
【請求項１５】
請求項１〜１２のいずれか一項に記載の方法で調製された油脂製品。
【発明の詳細な説明】
【技術分野】
【０００１】
本発明は、茶サポニンを使用した水媒法による油抽出方法に関し、油処理の技術分野に属する。
【背景技術】
【０００２】
水媒法の概念は、半世紀近くにわたって開発された圧搾法と浸出法以外の油抽出技術の分析と分類に基づいている。いわゆる水媒法とは、水を主媒体とする油抽出技術であり、、水溶性の食用物質（エタノールなど）、食品グレードの酵素、超音波、マイクロ波などを添加または添加せずに、油細胞壁および/または解乳化を破壊する食用油抽出技術である。このうち、エタノールによる水抽出法は、水媒法の開発の最新段階であり、その油抽出の基本原理は、エタノールの表面張力が水の表面張力よりも小さいことであり、エタノールの添加により、油水エマルジョンシステムの安定性が失われ、清澄油の収率の向上に役立つ。しかしながら、エタノール水抽出法には、エタノールの消費量が大きく、コストが高いという欠点もある。同様に、他の水媒法には、例えば、水酵素法で使用される酵素の量が多く、超音波とマイクロ波利用などにはエネルギー消費が大きいなどの欠点がある。
【発明の概要】
【０００３】
本方法の第一目的は、水媒法により油を抽出する方法を提供することであり、該方法では、
水またはエタノールを含む水溶液を媒介とし、茶サポニンを含む抽出剤を使用して油を抽出し、抽出対象の材料を粉砕した後、５０〜１００℃の抽出剤に０．５〜３時間浸し、ｐＨを８〜１０に調整し、続いて、遠心分離により、スラグ相、水相、油相およびエマルジョンを分離し；油相とエマルジョンを集めて解乳化し、清澄油を得ることを含む。
【０００４】
本発明の一実施形態では、前記方法は、
抽出対象の材料を粉砕した後、７０°Ｃの抽出剤に０．５時間浸漬し、ｐＨを９に調整し、続いて、遠心分離により、スラグ相、水相、油相およびエマルジョンを分離し、
油相とエマルジョンを集めて解乳化し、清澄油を得ることを含む。
【０００５】
本発明の一実施形態では、前記茶サポニンは材料自体に含まれ、抽出プロセス中に水相に入るか、または追加で添加される。
【０００６】
本発明の一実施形態では、前記材料は、油料作物の果実または種子を含む。
【０００７】
本発明の一実施形態では、前記材料は、ツバキ種子油を抽出するためのツバキ種子である。
【０００８】
本発明の一実施形態では、前記界面活性剤は、油相と抽出剤の間の界面張力を２〜８ｍＮ／ｍに制御することができる。
【０００９】
本発明の一実施形態では、前記粉砕は、粒径１０〜５０μｍまでの粉砕である。
【００１０】
本発明の一実施形態では、前記解乳化は、凍結解乳化、酵素的解乳化またはエタノール溶液解乳化を含む。
【００１１】
本発明の一実施形態では、前記方法の具体的なステップは、以下のとおりである、
（１）粒径が２０〜４０μｍに粉砕された新鮮なツバキ種子材料に、抽出剤としての０〜２００ｇ／Ｌの茶サポニンを含む水溶液に加えて、材料と溶液の比率を１：３〜１０にし、均一に混合する、
（２）混合物を撹拌しながら５０〜１００°Ｃに加熱し、ｐＨを８〜１０に調整し、温度を０．５〜３時間維持する、
（３）反応完了後、遠心分離により、スラグ相、水相、油相、およびエマルジョンを得る、
（４）その中の油相とエマルジョンを解乳化させる。
【００１２】
本発明の一実施形態では、前記方法は、油料作物の果実または種子を原料とする油脂を調製するために使用される。
【００１３】
本発明の一実施形態では、前記方法は、ツバキの果実または種子の油脂を抽出するために使用される。
【００１４】
本発明の第二目的は、油脂を抽出するための茶サポニン含有抽出剤の適用を提供することであり、前記茶サポニン含有抽出剤は、茶サポニン濃度が１０〜２００ｇ／Ｌの茶サポニン含有溶液である。
【００１５】
本発明の第三目的は、ツバキ油を抽出する方法を提供することであり、
前記方法は、
水溶液を抽出剤として使用され、抽出対象の材料を粉砕した後、７０°Ｃの抽出剤に０．５時間浸漬し、ｐＨを９に調整し、続いて、遠心分離により、スラグ相、水相、油相およびエマルジョンを分離し、
油相とエマルジョンを集めて解乳化し、清澄油を得、
材料の次のバッチの抽出剤として水相を収集し、水相を繰り返し使用して少なくとも５回の油抽出を行う。サイクル数が増えると、水相中の茶サポニンの含有量は増加し続ける。
【００１６】
本発明の一実施形態では、水相を繰り返し使用して５〜１２回の油抽出を行う。
【００１７】
本発明の一実施形態では、前記方法の具体的なステップは、以下のとおりである、
（１）粒径が２０μｍに粉砕された新鮮なツバキ種子材料に水を加えて、反応材料と溶液の比率を１〜５にする、
（２）混合物を撹拌しながら７０°Ｃに加熱し、ｐＨを９に調整し、温度を０．５時間維持する、
（３）遠心分離により、スラグ相、水相、油相、およびエマルジョンを得る、
（４）油相とエマルジョンを取り出して解乳化させ、清澄油を得、次の油抽出の抽出剤として水相を取り出し、不十分な部分は、１：５の比率まで水で補充され、ステップ（１）〜（３）を繰り返す。
【００１８】
本発明の第四目的は、前記方法により調製されたツバキ種子油製品またはツバキ種子油含有の製品を提供することである。
【００１９】
有益な効果は、以下のとおりである、
１．本発明の油抽出プロセスはエタノールを使用する必要がなく、コストを節約することができるだけでなく、製造プロセス中の安全性を向上させることができ、防爆などの手段を必要としない。
【００２０】
２．本方法は、純水を出発抽出剤として使用する場合、水相を繰り返し使用することにより、油抽出率を約７５％から９２％以上に高めることができ、１５％のエタノール水溶液を出発抽出剤として使用する場合、水相を繰り返し使用することにより、油抽出率を元の８９％から９４％以上に増加することができる。
【００２１】
３．本発明の抽出媒体は、水に加えて、ツバキ種子自身に含まれる茶サポニンまたは追加の茶サポニンを含む。茶サポニンは、抽出媒体の表面張力を低減させ、油作物から抽出媒体への油の溶解を促進することができる。抽出プロセスに、ツバキ種子自身に含まれる茶サポニンは水溶液（水相）に入り、水相の前のバッチは原料の次のバッチの抽出媒体として使用する。複数回繰り返した後、抽出媒体中の茶サポニンの含有量は連続的に増加し、油の抽出速度は連続的に増加し、同時に、水相中の茶サポニン、タンパク質および茶多糖類の含有量も連続的に増加する。純水を出発抽出剤として使用する場合、水相を１１回繰り返し使用した後、水相中の茶サポニンの含有量は、１回の抽出で４．２７％から１７．６３％に増加し、タンパク質の含有量は１回の抽出で３．１９％から１１．９８％に増加し、総糖は、１回の抽出で１．７４％から５．６０％に増加した。水相での茶サポニン、タンパク質、茶多糖類のリサイクルに非常に役立つ。
【００２２】
４．本発明の方法は、水相をリサイクルすることにより、抽出剤として使用される水の量を大幅に低減させ、コストを節約することに加えて、廃水の発生も低減させ、経済的利益を達成しながら省エネルギーと環境保護を達成し、それは複数の目的に役立つと言える。
【図面の簡単な説明】
【００２３】
【図１】図１は純水を水相抽出剤として繰り返し使用する場合の各相における脂肪の分布である。
【図２】図２は油抽出後の各段階における乾燥残留物の脂肪含有量である。
【図３】図３は油抽出後の各段階における水相の脂肪含有量である。
【図４】図４は油抽出後の脱脂乾燥残留物のタンパク質含有量である。
【図５】図５は油抽出後の各段階における水相の付随物の含有量である。
【図６】図６は異なる抽出剤の油抽出効果である。
【図７】図７は試験規模増幅後の各相の脂肪分布である。
【図８】図８は試験規模増幅後に繰り返し使用される水相の付随物の濃度変化である。
【図９】図９は１５％のエタノールを繰り返し使用して抽出する場合の各相における総脂肪の分布である。
【発明を実施するための形態】
【００２４】
１．油抽出率（清澄油の収量に等しい数値で）＝清澄油の品質／材料の脂肪含有量；定義：反応後の原料に含まれる総脂肪に対する清澄油の比率
２．原料およびスラグ相脂肪の測定：ソックスレー抽出法
３．水性脂肪の測定：Ｒｏｓｅ−Ｇｏｔｔｌｉｅｂ法
４．水相タンパク質の測定：フォリノール法
５．水相総糖の測定：フェノール硫酸法
６．水相茶サポニンの測定：バニリン硫酸比色法
７．スラグ相タンパク質の測定：ケルダール法
８．界面張力の測定：全自動表面張力試験機（ＤＣＡＴ２１）を使用した測定。
【００２５】
実施例１  異なる抽出剤の繰り返し使用による抽出効果の比較
（１）新たに粉砕したツバキ種子材料（粒径２０μｍに粉砕）２００ｇを取り、１Ｌの脱イオン水を加えて（反応材料と溶液の比率を１：５にして）均一に混合した、
（２）撹拌しながら７０°Ｃで３０分間材料を浸漬し、２０％のＮａＯＨでｐＨ＝９．０に調整し、１時間保温した、
（３）反応後、混合物を５０００ｒｐｍで１５分間遠心分離し、反応溶液中の液体をスラグ相、水相、油相およびエマルジョンの４つの部分に分離した、
(４）その中の油相とエマルジョンを取り出して−２０°Ｃの冷蔵庫に２４時間入れ、５０°Ｃの水浴で凍結および解乳化して、清澄油の収率を計算し、その中のスラグ相を取り出して乾燥させ、粉砕後にその脂肪などの含有量を測定し、その中の水相を取り出して次の油抽出の反応液として使用し、反応溶液が不十分な場合は、水を１Ｌまで補充した。スラグ相の脂肪含有量が安定するまでステップ（１）〜（３）を繰り返し、同時にその脂肪および他の物質の含有量を測定した。
【００２６】
水相の繰り返し使用中の油回収率、スラグ相の油含量、水相の油含量変化を図1に示すとおりである。総脂肪に対する清澄油の比率は最初の７５．７６％から約９１．２１％に増加することができ、総脂肪に対する水相の油の比率は５．３９％から約２０．５５％に増加することができ、総脂肪に対するスラグ相の脂肪含有量は３．７２％から約２．３７％に減少した。
【００２７】
図２に示すとおり、水相の繰り返し使用により、スラグ相の脂肪含有量を最初の９．００％から約３．１０％に減少することができる。
【００２８】
図３に示すとおり、水相の繰り返し使用により、水相の脂肪含有量を最初の０．６４％から約２．２５％に増加することができ、これは明らかであり、後期遊離油の回収および他の付随物の回収に使用することができる。
【００２９】
スラグ相のタンパク質含有量の変化を図４に示すとおりであり、水相の繰り返し使用により、スラグ相のタンパク質含有量は８．９２％から約１０．１９％に増加することができる。油抽出プロセス中、原料に含まれるタンパク質は水相に蓄積され、水相のタンパク質を連続的に増加させ、水相に入るタンパク質は、タンパク質濃度が増加するにつれて溶解度が低減し、それによりスラグ相のタンパク質が高まる。
【００３０】
水相中のその他の物質の組成を測定した結果、図５に示すとおり、水相の繰り返し使用により、タンパク質、茶サポニン（ＴＳ）、および総糖含有量が連続的に蓄積された。タンパク質含有量は３．１９％から１１．９８％に、茶サポニンは４．２７％から１７．６３％に、総糖は１．７４％から５．６０％に増加することができる。
【００３１】
抽出前後のシステムの界面張力を測定した結果、水を抽出剤として１回抽出した後、界面張力が７．５７ｍＮ／ｍから５．３２ｍＮ／ｍに減少したことが示された。
【００３２】
また、本発明者らは、抽出剤としてタンパク質のみまたは糖のみを含む水溶液を使用し、実施例１の方法で油抽出を実施した結果、油抽出率は大きく増加しなかった。
【００３３】
実施例２  異なる水相抽出剤の抽出効果の比較
４つのグループの粒径２０μｍの新たに粉砕したツバキ種子材料２０ｇを取り、第一グループに４０ｇ／Ｌの濃度の茶サポニン溶液１Ｌを加え、第二グループに１Ｌの脱イオン水を加え、第三グループに１５％のエタノール水溶液１Ｌを加え、第四グループに実施例１で１回繰り返し使用した抽出物１  Ｌを加え、ツバキ種子材料と各溶液を材料と溶液１：５の比率に応じて完全に混合した後、反応器に入れた。
【００３４】
抽出ステップは、実施例１のステップ（２）〜（３）と同様に実施した。
【００３５】
油相とエマルジョンを取り出し、−２０°Ｃの冷蔵庫に２４時間入れ、５０°Ｃの水浴で凍結および解乳化し、清澄油の収率を計算した。そのスラグ相を取り出して乾燥させ、粉砕後にその中の脂肪などの含有量を測定した。
【００３６】
抽出剤システムの界面張力を測定した結果、油相と抽出剤間の界面張力は、４０ｇ／Ｌ茶サポニン溶液（５．７５ｍＮ／ｍ）、脱イオン水（８．２０ｍＮ／ｍ）、１５％エタノール水溶液（２．１２ｍＮ／ｍ）、１回繰り返し使用した抽出溶液（７．９６ｍＮ／ｍ）であった。
【００３７】
４つのグループの材料の反応後の油抽出率を測定した結果、４％茶サポニンを使用した油抽出率は８１．６８％で、脱イオン水を使用した油抽出率は７５．４５％で、１５％のエタノール水溶液を使用した油抽出率は８９．３９％で、１回繰り返し使用した抽出液で抽出した油抽出率は８０．９６％であった。
【００３８】
実施例３  異なる茶サポニン溶液の抽出効果の比較
粉砕したツバキ種子は、茶サポニン溶液の異なる濃度（０〜１００ｇ／Ｌ）で油抽出し、それぞれ、脱イオン水、１０ｇ／Ｌの茶サポニン溶液、４０ｇ／Ｌの茶サポニン溶液、および１００ｇ／Ｌの茶サポニン溶液を用いて抽出し、具体的な抽出ステップは以下のとおりである、
（１）新たに粉砕したツバキ種子材料（粒径２０μｍに粉砕）２００ｇを取り、１Ｌの上記脱イオン水または茶サポニン溶液を加えて（反応材料と溶液の比率を１：５にして）均一に混合した、
（２）撹拌しながら７０°Ｃに加熱し、３０分間材料を浸漬し、２０％のＮａＯＨでｐＨ＝９．０に調整し、１時間反応し続けた、
（３）反応後、５０００ｒｐｍで１５分間遠心分離し、反応溶液中の液体をスラグ相、水相、油相およびエマルジョンの４つの部分に分離した、
抽出剤システムの界面張力を測定した結果、油相と抽出剤間の界面張力は、それぞれ、脱イオン水（８．２０ｍＮ／ｍ）、１０ｇ／Ｌ茶サポニン溶液（７．８５ｍＮ／ｍ）、４０ｇ／Ｌ茶サポニン溶液（５．７５ｍＮ／ｍ）、１００ｇ／Ｌ茶サポニン溶液（５．４３ｍＮ／ｍ）であった。
【００３９】
反応後の油抽出率は、それぞれ、純水グループで７５．４５％、１０ｇ／Ｌ茶サポニングループで７６．４７％、４０ｇ／Ｌ茶サポニングループで８２．６８％、１００ｇ／Ｌ茶サポニングループで８１．４４％であった。
【００４０】
実施例４  異なる抽出剤の抽出効果の比較
それぞれ、脱イオン水、５０ｇ／ＬのＴｗｅｅｎ２０、体積分率１５％のエタノール、４０ｇ／Ｌの茶サポニン水溶液、１００ｇ／Ｌのラウリル硫酸ナトリウム水溶液の油抽出効果を試行する。具体的なプロセスは以下のとおりである、
（１）漢方薬粉砕機で粒径約２０μｍに新たに粉砕したツバキ種子材料を５つのグループに分けて各グループ２００ｇとし、第一グループには１Ｌの脱イオン水を加え、第二グループには１Ｌの１０％Ｔｗｅｅｎ２０水溶液を加え、第三グループに体積分率１５％のエタノール水溶液を加え、第四グループに濃度が４％の茶サポニン溶液１Ｌを加え、第五グループには濃度が１０％のラウリル硫酸ナトリウム溶液１Ｌを加え（反応材料と溶液の比率を１：５にして）、均一に混合した、
（２）撹拌しながら７０°Ｃに加熱し、３０分間材料を浸漬し、２０％のＮａＯＨでｐＨ＝９．０に調整し、１時間反応し続けた、
（３）反応後、５０００ｒｐｍで１５分間遠心分離し、反応溶液中の液体をスラグ相、水相、油相およびエマルジョンの４つの部分に分離した、
その中の油相とエマルジョンを取り出し、−２０°Ｃの冷蔵庫に２４時間入れ、かつ５０°Ｃの水浴で凍結および解乳化し、清澄油の収率を計算した。その中のスラグ相を取り出して乾燥させ、粉砕後に脂肪などの含有量を測定した。
【００４１】
抽出剤システムの界面張力を測定した結果、油相と抽出剤間の界面張力は、脱イオン水（８．２０ｍＮ／ｍ）、５０ｇ／ＬＴｗｅｅｎ２０（４．８  ｍＮ／ｍ）、１５％のエタノール水溶液（２．１２ｍＮ／ｍ）、４０ｇ／Ｌの茶サポニン溶液（５．７５ｍＮ／ｍ）、１００ｇ／Ｌのラウリル硫酸ナトリウム水溶液（１６．２ｍＮ／ｍ）であった。
【００４２】
５つのグループの原料を反応させた後の油抽出の結果を図６に示すとおり、比較後、Ｔｗｅｅｎ２０、エタノール、茶サポニンを加えた後、透明なオイルの収率が純水よりも著しく高いが、１０％のラウリル硫酸ナトリウム水溶液を加えた油抽出効果が著しく低い。そのうち、Ｔｗｅｅｎ２０と茶サポニングループの清澄油の収率は、それぞれ８０．８４％と８２．２１％に達し、１５％のエタノール水溶液の油抽出効果に近く、１００ｇ／Ｌのラウリル硫酸ナトリウムの清澄油の収率はわずか５５．４７％であった。
【００４３】
エマルジョン中の残留脂肪の比率は、異なる抽出剤間で異なり、同じ原材料で調製されたエマルジョン中の総脂肪に対する残留脂肪の比率は、１０％ラウリル硫酸ナトリウム（２５．８０％）＞純水グループ（１２．９９％）＞１０％のＴｗｅｅｎ２０グループ（８．８６％）＞４％の茶サポニングループ（６．７１％）＞１５％のエタノールグループ（６．２８％）であった。
【００４４】
Ｔｗｅｅｎ２０と茶サポニンは両方とも、ＨＬＢ値が約１５〜１７の非イオン性界面活性剤であり、ラウリル硫酸ナトリウムは、ＨＬＢ値が約４０のアニオン性界面活性剤である。Ｔｗｅｅｎ２０と茶サポニンを抽出剤とする抽出プロセス中の乳濁液含有量が少なく、清澄油の収率がより高かった。天然の非イオン性界面活性剤として、茶サポニンはツバキ種子油の抽出プロセスの水相に豊富であり、理想的な天然抽出剤である。
【００４５】
実施例５
８００ｇの原料を使用して油抽出反応を増幅し、そのフローは以下のとおりである、
（１）漢方薬粉砕機で粒径約２０μｍに新たに粉砕したツバキ種子材料８００ｇを取り、４Ｌの脱イオン水を加えて（反応材料と溶液の比率を１：５にして）均一に混合した、
（２）撹拌しながら７０°Ｃに加熱し、３０分間材料を浸漬し、２０％のＮａＯＨでｐＨ＝９．０に調整し、１時間反応し続けた、
（３）反応後、５０００ｒｐｍで１５分間遠心分離し、反応溶液中の液体をスラグ相、水相、油相およびエマルジョンの４つの部分に分離する、
（４）その中の油相とエマルジョンを取り出し、−２０°Ｃの冷蔵庫に２４時間入れ、かつ５０°Ｃの水浴で凍結および解乳化し、清澄油の収率を計算した。その中のスラグ相を取り出して乾燥させ、粉砕後に脂肪などの含有量を測定した。その中の水相を取り出して次の油抽出の反応液として使用し、反応溶液が不十分な場合は、水を補充する。スラグ相の脂肪含有量が安定するまで、すなわち、得られたスラグ相中の脂肪含有量の変化が１％以内に安定した場合、ステップ（１）〜（３）を繰り返し、同時にその脂肪および他の物質の含有量を測定した。かつ、水相中の茶サポニン、総糖、タンパク質の濃度を測定した。
【００４６】
清澄油の収率が安定する傾向がある場合（８回目の繰り返し使用後）、水相の一部が取り出され、付随物と脂肪の分離として使用することができる。
【００４７】
水相の繰り返し使用中の清澄油の収率、スラグ相の油含量、および水相の油含量と付随物の変化を図７〜８に示すとおりである。
【００４８】
図７から、反応を増幅し、８００ｇの原材料を使用して水相で１２回繰り返し油抽出した後、清澄油の収率およびスラグ相と水相中の脂肪の分布法則が小規模抽出と同じ傾向を示すことが分かった。清澄油の収率は７５．６２％から９２．０６％に増加し、スラグ相中の総脂肪に対する脂肪の比率は１１．９０％から３．３８％に減少し、水相中の総脂肪に対する脂肪の比率は３．２１％から１０．８７％に増加した。また、水相の繰り返し使用により、油抽出プロセス中に生成されたエマルジョンの量が連続的に減少することにより、清澄油の含有量が増加した。
【００４９】
図８から、水相中の付随物が蓄積し続ける過程にあることが分かった。そのうち、茶サポニンの含有量は４．４５％から約１６％に増加することができ、タンパク質濃度は３．５％から１０．９１％に増加することができ、総糖濃度は２．６７％から６．９７％に増加ことができ、いずれも小規模抽出の法則と一致した。
【００５０】
実施例２と比較して、増幅後の抽出効果は、タンパク質、茶サポニン含有量および総糖含有量に関して元の濃度の約２倍の増加があった。
【００５１】
実施例６
（１）新たに粉砕したツバキ種子材料（粒径２０μｍに粉砕）２００ｇを取り、１Ｌの体積分率１５％のエタノール水溶液を加えて（反応材料と溶液の比率を１：５にして）均一に混合した、
（２）撹拌しながら７０°Ｃに加熱し、３０分間材料を浸漬し、２０％のＮａＯＨでｐＨ＝９．０に調整し、１時間反応し続けた、
（３）反応後、５０００ｒｐｍで１５分間遠心分離し、反応溶液中の液体をスラグ相、水相、油相およびエマルジョンの４つの部分に分離した、
（４）その中の油相とエマルジョンを取り出し、−２０°Ｃの冷蔵庫に２４時間入れ、かつ５０°Ｃの水浴で凍結および解乳化し、清澄油の収率を計算した。その中のスラグ相を取り出して乾燥させ、粉砕後に脂肪などの含有量を測定し、その中の水相を取り出して次の油抽出の反応液として使用し、反応溶液が不十分な場合は、水を１Ｌまで補充した。スラグ相の脂肪含有量が安定するまでステップ（１）〜（３）を繰り返し、同時にその脂肪および他の物質の含有量を測定した。
【００５２】
結果を図９に示すとおり、体積分率１５％のエタノール水溶液で油を抽出し、かつ水相を１１回繰り返し使用すると、油抽出率は８９．７６％から約９４．１０％に増加し、スラグ相中の脂肪の残存率は２．９２％から２．０８％に減少したが、水相中の脂肪の残存率は４．３９％から１７．３１％に増加した。
【００５３】
実施例７
（１）新たに粉砕したツバキ種子材料（粒径２０〜４０μｍに粉砕）５００ｇを取り、１．５Ｌの純水を加えて（反応材料と溶液の比率を１：３にして）均一に混合した、
（２）撹拌しながら７０°Ｃに加熱し、３０分間材料を浸漬し、２０％のＮａＯＨでｐＨ＝９．０に調整し、１時間反応し続けた、
（３）反応後、５０００ｒｐｍで１５分間遠心分離し、反応溶液中の液体をスラグ相、水相、油相およびエマルジョンの４つの部分に分離した。
反応後の油抽出率は６５．５４％であった。
【００５４】
実施例８
（１）新たに粉砕したツバキ種子材料（粒径２０〜４０μｍに粉砕）５００ｇを取り、１．５Ｌの純水を加えて（反応材料と溶液の比率を１：３にして）均一に混合した、
（２）撹拌しながら７０°Ｃに加熱し、３０分間材料を浸漬し、２０％のＮａＯＨでｐＨ＝９．０に調整し、２時間反応し続けた、
（３）反応後、５０００ｒｐｍで１５分間遠心分離し、反応溶液中の液体をスラグ相、水相、油相およびエマルジョンの４つの部分に分離した。
反応後の油抽出率は６７．３６％であった。
【００５５】
実施例９
（１）新たに粉砕したツバキ種子材料（粒径２０〜４０μｍに粉砕）１Ｋｇを取り、それぞれ１０Ｌの純水を加えて（反応材料と溶液の比率を１：１０にして）均一に混合した、
（２）撹拌しながら７０°Ｃに加熱し、３０分間材料を浸漬し、２０％のＮａＯＨでｐＨ＝９．０に調整し、１時間反応し続けた、
（３）反応後、５０００ｒｐｍで１５分間遠心分離し、反応溶液中の液体をスラグ相、水相、油相およびエマルジョンの４つの部分に分離した。
反応後の油抽出率は８０．０２％であった。
【００５６】
実施例１０
（１）新たに粉砕したツバキ種子材料（粒径２０〜４０μｍに粉砕）１Ｋｇを取り、それぞれ１０Ｌの純水を加えて（反応材料と溶液の比率を１：１０にして）均一に混合した、
（２）撹拌しながら７０°Ｃに加熱し、３０分間材料を浸漬し、２０％のＮａＯＨでｐＨ＝１０．０に調整し、１時間反応し続けた、
（３）反応後、５０００ｒｐｍで１５分間遠心分離し、反応溶液中の液体をスラグ相、水相、油相およびエマルジョンの４つの部分に分離した。
反応後の油抽出率は８２．３３％であった。
【００５７】
実施例１１
（１）新たに粉砕したツバキ種子材料（粒径２０〜４０μｍに粉砕）１Ｋｇを取り、それぞれ１０Ｌの純水を加えて（反応材料と溶液の比率を１：１０にして）均一に混合した、
（２）撹拌しながら９０°Ｃに加熱し、３０分間材料を浸漬し、２０％のＮａＯＨでｐＨ＝１０．０に調整し、１時間反応し続けた、
（３）反応後、５０００ｒｐｍで１５分間遠心分離し、反応溶液中の液体をスラグ相、水相、油相およびエマルジョンの４つの部分に分離した。
反応後の油抽出率は８４．０２％であった。
【００５８】
実施例１２
（１）新たに粉砕したツバキ種子材料（粒径２０〜４０μｍに粉砕）１Ｋｇを取り、それぞれ１０Ｌの純水を加えて（反応材料と溶液の比率を１：１０にして）均一に混合した、
（２）撹拌しながら５０°Ｃに加熱し、３０分間材料を浸漬し、２０％のＮａＯＨでｐＨ＝１０．０に調整し、１時間反応し続けた、
（３）反応後、５０００ｒｐｍで１５分間遠心分離し、反応溶液中の液体をスラグ相、水相、油相およびエマルジョンの４つの部分に分離した。
反応後の油抽出率は７５．４５％であった。
【００５９】
実施例１３  ツバキ科の他の種子に対する油抽出
具体的な実施形態と前の実施例との違いは、材料がツバキ種子、茶種子、および茶花種子であることである。油抽出率を表1に示す。
2020520397.tif 000003
【００６０】
比較例１
スパン−２０を使用して油抽出し、抽出ステップは実施例４と同じであり、結果は、抽出率が５１．６％であることを示した。
【００６１】
本発明を上記の好ましい実施形態に開示したが、本発明はこれに限定されるものではなく、本発明の精神および範囲から逸脱することなく、様々な修正および変更を行うことができ、したがって、本発明の保護範囲は、特許請求の範囲によって決定されるべきである。
【図１】
2020520397.tif 000004
【図２】
2020520397.tif 000005
【図３】
2020520397.tif 000006
【図４】
2020520397.tif 000007
【図５】
2020520397.tif 000008
【図６】
2020520397.tif 000009
【図７】
2020520397.tif 000010
【図８】
2020520397.tif 000011
【図９】
2020520397.tif 000012
【国際調査報告】
2020520397.tif 000013
2020520397.tif 000014
2020520397.tif 000015
2020520397.tif 000016